(57)【要約】【課題】  戸袋内に設けたレールの取り付け取り外しが容易にできる壁面収納型ハンガー引戸を提供する。【解決手段】  本発明の壁面収納型ハンガー引戸１において、戸袋側上レール５は出入口側端部５ａが出入口１６に位置し且つ出入口側上レール３に略連続しており、戸袋側上レール端部固定具９は予め戸袋２０内に取り付けてあると共に端部載置部２９と端部挟着部３１とを有し、端部載置部２９は戸袋側上レール５の戸袋側端部５ｂを載置し、端部挟着部３１は戸袋側上レール５の戸袋側端部５ｂをレール長手方向から弾性力により挟着しており、戸袋側上レール中間部挟着具１１は予め戸袋２０内に取り付けてあると共に戸袋側上レール５の長手方向中間部を上方から弾性力により挟着しており、戸袋側上レール端部固定ねじ１３は戸袋側上レール５の出入口側端部５ａを出入口上部に固定している。【選択図】      図１
2005213731.tif 000002
【特許請求の範囲】
【請求項１】
出入口側上レールと、戸袋側上レールと、引戸と、戸袋側上レール端部固定具と、戸袋側上レール中間部挟着具と、戸袋側上レール端部固定ねじとを備え、戸袋側上レールは出入口側端部が出入口に位置し且つ出入口側上レールに略連続しており、引戸は戸先側吊車と戸尻側吊車とを有し、戸先側吊車は出入口側上レールに支持してあり、戸尻側吊車は戸袋側上レールに支持してあり、戸袋側上レール端部固定具は予め戸袋内に取り付けてあると共に端部載置部と端部挟着部とを有し、端部載置部は戸袋側上レールの戸袋側端部を載置し、端部挟着部は戸袋側上レールの戸袋側端部をレール長手方向から弾性力により挟着しており、戸袋側上レール中間部挟着具は予め戸袋内に取り付けてあると共に戸袋側上レールの長手方向中間部を上方から弾性力により挟着しており、戸袋側上レール端部固定ねじは戸袋側上レールの出入口側端部を出入口上部に固定していることを特徴とする壁面収納型ハンガー引戸。
【請求項２】
出入口側上レールと、戸袋側上レールと、引戸と、戸袋側上レール端部固定具と、戸袋側上レール端部固定ねじとを備え、戸袋側上レールは出入口側端部が出入口に位置し且つ出入口側上レールに略連続しており、引戸は戸先側吊車と戸尻側吊車とを有し、戸先側吊車は出入口側上レールに支持してあり、戸尻側吊車は戸袋側上レールに支持してあり、戸袋側上レール端部固定具は予め戸袋内に取り付けてあると共に端部載置部と端部挟着部とを有し、端部載置部は戸袋側上レールの長手方向の１／３以上を載置しており、端部挟着部は戸袋側上レールの戸袋側端部をレール長手方向から弾性力により挟着しており、戸袋側上レール端部固定ねじは戸袋側上レールの出入口側端部を出入口上部に固定していることを特徴とする壁面収納型ハンガー引戸。
【発明の詳細な説明】
【技術分野】
【０００１】
本発明は、引戸を吊り下げるレールを出入口と戸袋内とに亘って設けてある壁面収納型ハンガー引戸に関する。
【背景技術】
【０００２】
特許文献１には、出入口側上レールと、戸袋側上レールとを略連続して設け、両レールに引戸を吊り下げた壁面収納型ハンガー引戸が開示されている。この特許文献１の技術では、戸袋側上レールは、レールの長手方向に間隔をおいて取り付けたねじでレールを戸袋内に固定している。
特許文献２には、出入口側上レールと戸袋側上レールとを長尺の一本のレールで構成し、戸袋側ではレールの端部を戸袋側上レール端部固定具で固定し、出入口側ではレール部をねじで出入口上部に固定することが開示されている。戸袋側上レール端部固定具では挟着部がレールの戸袋側端部を長手方向から弾性力により挟着すると共に、戸袋内に設けた載置部が戸袋内でレールを載置している。
【０００３】
【特許文献１】特開２０００−２９１３２４号公報
【特許文献２】特開２００１−２４１２５７号公報
【発明の開示】
【発明が解決しようとする課題】
【０００４】
しかし、特許文献１の技術では、戸袋側上レールはねじで戸袋内に固定してあるため、清掃等のメンテナンス時には、戸袋を開けて且つねじの取り外しや取り付けをしなければならないので、戸袋側上レールの取り外し取り付け作業に手間がかかるという問題がある。
一方、特許文献２の技術では、出口側レールと戸袋側上レールとを連続した１本のレールとした長尺のものを、出入口と戸袋内とに亘って一度に納めたり、一度に外したりする必要があり、特にこのような作業を出入口のみで行なうのでレールが扱い難く、レールの取り付け取り外しがし難いという問題がある。
【０００５】
そこで、本発明は、戸袋内に設けたレールの取り付け取り外しが容易にできる壁面収納型ハンガー引戸の提供を目的とする。
【課題を解決するための手段】
【０００６】
請求項１に記載の発明は、出入口側上レールと、戸袋側上レールと、引戸と、戸袋側上レール端部固定具と、戸袋側上レール中間部挟着具と、戸袋側上レール端部固定ねじとを備え、戸袋側上レールは出入口側端部が出入口に位置し且つ出入口側上レールに略連続しており、引戸は戸先側吊車と戸尻側吊車とを有し、戸先側吊車は出入口側上レールに支持してあり、戸尻側吊車は戸袋側上レールに支持してあり、戸袋側上レール端部固定具は予め戸袋内に取り付けてあると共に端部載置部と端部挟着部とを有し、端部載置部は戸袋側上レールの戸袋側端部を載置し、端部挟着部は戸袋側上レールの戸袋側端部をレール長手方向から弾性力により挟着しており、戸袋側上レール中間部挟着具は予め戸袋内に取り付けてあると共に戸袋側上レールの長手方向中間部を上方から弾性力により挟着しており、戸袋側上レール端部固定ねじは戸袋側上レールの出入口側端部を出入口上部に固定していることを特徴とする。
【０００７】
請求項２に記載の発明は、出入口側上レールと、戸袋側上レールと、引戸と、戸袋側上レール端部固定具と、戸袋側上レール端部固定ねじとを備え、戸袋側上レールは出入口側端部が出入口に位置し且つ出入口側上レールに略連続しており、引戸は戸先側吊車と戸尻側吊車とを有し、戸先側吊車は出入口側上レールに支持してあり、戸尻側吊車は戸袋側上レールに支持してあり、戸袋側上レール端部固定具は予め戸袋内に取り付けてあると共に端部載置部と端部挟着部とを有し、端部載置部は戸袋側上レールの長手方向の１／３以上を載置しており、端部挟着部は戸袋側上レールの戸袋側端部をレール長手方向から弾性力により挟着しており、戸袋側上レール端部固定ねじは戸袋側上レールの出入口側端部を出入口上部に固定していることを特徴とする。
【発明の効果】
【０００８】
請求項１に記載の発明によれば、戸袋側上レールを戸袋から取り外す場合には、出入口にある戸袋側上レール端部固定ねじを戸袋側上レールの出入口側端部から外し、戸袋側上レールの出入口側端部を下方に降ろして戸袋側上レールを戸袋側上レール中間部挟着具から外し、戸袋側上レールを斜めにして出入口側に引き抜いて、戸袋側上レール端部固定具の端部挟着部と端部載置部から外して、戸袋側上レールを戸袋から取り出す。
戸袋側上レールの取り付けは、レールを斜めにして出入口側から戸袋内に挿入し、戸袋側上レール端部固定具の端部挟着部に差し込むと共に端部載置部に載置し且つレールの出入口側を引き上げて戸袋側上レール中間部挟着具に下方から差し込み、次に、出入口で出入口側端部を戸袋側上レール端部固定ねじで出入口上部にとめる。
したがって、メンテナンス時において、戸袋側上レールの取り外しや取り付け作業時には、戸袋を開くことなくしかも戸袋内でのねじ操作が必要ないので、戸袋側上レールの取り付け取り外しが容易にできる。
また、出入口側上レールと戸袋側上レールとを分離しているので、これらを連続した一本のレールとした場合に比較して各レールが短尺で取り扱い易く且つ取り付け時の納まりや取り外しを個々にできるので、取り外しや取り付け作業がし易い。
戸袋側上レールの長手方向中間部を戸袋側上レール中間部挟着具で挟着しているので、戸袋側上レールのがたつきを防止できる。
戸袋側上レール中間部挟着具は戸袋側上レールを上方から弾性力により挟着しているので、戸袋側上レールの取り付け時には戸袋側上レールを下方から戸袋側上レール中間部挟着具に差し込み、取り外し時には戸袋側上レールを押し下げて外すことができ、戸袋側上レールを設置位置よりも上にあげて外さないので、戸袋側上レール中間部挟着具への戸袋側上レールの取り付け取り外しが容易にできる。
【０００９】
請求項２に記載の発明によれば、戸袋側上レールを戸袋から取り外す場合には、出入口にある戸袋側上レール端部固定ねじを外し、戸袋側上レールを出入口側に引いて戸袋側上レール端部固定具の端部挟着部から外すと共に端部載置部から外して、戸袋側上レールを出入口に斜めにして戸袋から取り出す。
戸袋側上レールの取り付けは、レールを出入口から戸袋内に挿入し、戸袋側上レール端部固定具の端部載置部に出入口側から載置すると共に端部挟着部に差し込んだ後、出入口において戸袋側上レールの出入口側端部を戸袋側上レール端部固定ねじでとめる。
したがって、メンテナンス時において、戸袋側上レールの取り外しや取り付け作業時には、戸袋を開くことなくしかも戸袋内でのねじ操作が必要ないので、戸袋側上レールの取り付け取り外しが容易にできる。
また、出入口側上レールと戸袋側上レールとを分離しているので、これらを連続した一本のレールとした場合に比較して各レールが短尺で取り扱い易く且つ取り付け時の納まりや取り外しを個々にできるので、取り外しや取り付け作業がし易い。
端部載置部は戸袋側レールの１／３以上を載置しているので、レールを安定に保持でき、戸袋側上レール中間挟着具が必要ないから、部品点数が少なくて済む。
【発明を実施するための最良の形態】
【００１０】
以下に、添付図面を参照して本発明の実施の形態を説明するが、まず図１〜図５を参照して本発明の第１実施の形態を説明する。図１（ａ）は第１実施の形態にかかる壁面収納型ハンガー引戸の上部において出入口側のカバーと戸袋壁面を除いて示す正面図であり、（ｂ）は（ａ）に示す戸袋側上レール端部固定具を抜き出して示す斜視図であり、図２は図１（ａ）のＡ―Ａ断面図であり、図３は戸袋側上レールの取り付け取り外し手順を説明する図であり、図４は図５のＢ―Ｂ断面図であり、図５は図１に示す壁面収納型ハンガー引戸を室内側から見た正面図である。
第１実施の形態にかかる壁面収納型ハンガー引戸１は、出入口側上レール３と、戸袋側上レール５と、両上レール３、５に吊り下げた引戸７と、戸袋側上レール端部固定具９と、戸袋側上レール中間部挟着具１１と、戸袋側上レール端部固定ねじ１３とを備えている。
出入口側上レール３は出入口１６に配置してあり、出入口上部（上枠）１４にレールの長手方向に間隔をあけて取り付けた複数のボルト１５で固定してある。出入口側上レール３はカバー１７により室内側から遮蔽されており、カバー１７を開けて点検できるようになっている。尚、出入口側上レール３にはエアークッション１９が取り付けてある。出入口側上レール３の戸袋側端部３ｂには戸先側吊車２１（後述する）の係止部２４が設けてあり、引戸全開状態において戸先側吊車２１が閉方向に転がるのを規制している。係止部２４は円弧状の凹みである。
戸袋側上レール５は、出入口側端部５ａが出入口１６に位置して戸袋２０内に設けてあり且つ出入口側上レール３に略連続している。
戸袋側上レール５の戸袋側端部５ｂには戸尻側吊車２３（後述する）の係止部２４が設けてあり、引戸全開状態において戸尻側吊車２３が閉方向に転がるのを規制している。尚、戸袋側上レール５の戸袋側端部５ｂには戸当り２５が取り付けてある。
引戸７は戸先側吊車２１と戸尻側吊車２３とを有しており、戸先側吊車２１は出入口側上レール３に支持してあり、戸尻側吊車２３は戸袋側上レール５に支持してある。
戸袋側上レール端部固定具９は予め戸袋２０内の上枠２７に取り付けてあり、戸袋側上レール５の戸袋側端部５ｂを固定している。戸袋側上レール端部固定部９は端部載置部２９と端部挟着部３１とを有しており、本実施の形態では、戸袋側上レール端部載置部２９と端部挟着部３１とは別部材になって近接配置されている。端部載置部２９は戸袋側上レール５の戸袋側端部５ｂを載置している。端部挟着部３１は弾性変形可能な挟着片３３を出入口１６側が開くように設けてあり、レール長手方向から差し込んで挟着するようになっている。そして、端部挟着部３１は戸袋側上レール５の戸袋側端部５ｂを挟着片３３と上枠２７との間に弾性力により挟着している。
戸袋側上レール中間部挟着具１１は戸袋側上レール５の長手方向中間部に位置して予め戸袋内の上枠２７に取り付けてあり、弾性変形可能な挟着片３５を下方が開くように設けてあり、戸袋側上レール５を戸袋側上レール中間部挟着具１１に下方から差し込んで挟着するようになっている。この戸袋側上レール中間部挟着具１１は戸袋側上レール５の長手方向中間部を上方から弾性力により上枠２７との間に挟着している。
戸袋側上レール端部固定ねじ１３はボルトであり、出入口１６において、戸袋側上レール５の出入口側端部５ａを出入口上部１４に固定している。
尚、戸袋２０の下部には着脱自在な幅木４１が設けてあり、幅木４１を外して戸袋２０に設けた点検口を開けるようになっている。
【００１１】
次に、本実施の形態にかかる壁面収納型ハンガー引戸１の作用効果について説明する。
レールの清掃等におけるメンテナンス時には、まず、出入口１６の上部に設けあるカバー１７を外し、引戸７を出入口側上レール３及び戸袋側上レール５から外した後、ねじ１５を緩めて出入口側上レール３を外す。次に、戸袋側上レール５を戸袋２０内から取り外す。
戸袋側上レール５を戸袋２０から取り外す場合には、図３に矢印Ｆ１〜Ｆ３で示すように、出入口１６で出入口側端部５ａを固定している戸袋側上レール端部固定ねじ１３を外し、戸袋側上レール５の出入口側端部５ａを下方に降ろして戸袋側上レール中間部挟着具１１から外し、出入口側端部５ａを下にして戸袋側上レール５を斜めにしたまま出入口側に引き抜く。これにより、端部挟着部３１から戸袋側上レール端部５ｂが外れると同時に端部載置部２９からも外れるので、更に、戸袋側上レール５を出入口１６側に引き抜いて戸袋２０から取り出す。
一方、戸袋側上レール５の取り付けは、図３にＧ１〜Ｇ３に示すように、戸袋側上レール５の戸袋側端部５ｂを上して戸袋側上レール５を斜めにしたまま戸袋２０内に挿入し、戸袋側上レール端部固定具９の端部挟着部３１に差し込むと共に端部載置部２９に載置し、次に戸袋側上レール５の出入口側端部５ａを上げて戸袋側上レール５を略水平にすると共に戸袋側上レール中間部挟着具１１に下方から差し込む。次に、戸袋２０から出入口１６側に出ている出入口側端部５ａを戸袋側上レール端部固定ねじ１３で出入口上部１４に固定する。
したがって、取り外し作業の時には出入口１６において戸袋側上レール端部固定ねじ１３を外し、戸袋側上レール５を出入口１６側に引き抜いて２０戸袋から出入口１６側に取り出し、戸袋側上レール５の取り付け作業時には、戸袋側上レール５を出入口１６側から戸袋２０内に挿入して出入口１６で戸袋側上レール端部固定ねじ１３を止めて取り付けできるので、戸袋２０を開くことなくしかも戸袋内でねじを外したり止めたりしないので、戸袋側上レール５の取り付け取り外しが容易にできる。
出入口側上レール３と戸袋側上レール５とを分離しているので、これらを連続した一本のレールとした場合に比較して、各レール３、５が短尺で取り扱い易く且つ取り付け時の納まりや取り外しを個々にできるので、取り外しや取り付け作業がし易い。
戸袋側上レール５の長手方向中間部を戸袋側上レール中間部挟着具１１で挟着しているので、戸袋側上レール５のがたつきを防止できる。
戸袋側上レール中間部挟着具１１は戸袋側上レール５を上方から弾性力により挟着しているので、戸袋側上レール５の取り付け時には戸袋側上レール５を下方から戸袋側上レール中間部挟着具１１に差し込み、取り外し時には戸袋側上レール５を押し下げて外すことができ、戸袋側上レールを戸袋側上レール中間部挟着具１１よりも一度上にあげて取り付けたり外したりしないので、戸袋側上レール中間部挟着具１１への取り付け取り外しが容易にできる。
【００１２】
次に、本発明の他の実施の形態を説明するが、以下に説明する実施の形態では、上述した実施の形態と同一の作用効果を奏する部分には同一の符号を付することによりその部分の詳細な説明を省略し、上述した実施の形態と異なる点を主に説明する。
図６に示す第２実施の形態にかかる壁面収納型ハンガー引戸１は、戸袋側上レール５の戸袋側上レール端部固定具９において端部載置部２９が戸袋側上レール５の１／３以上を載置しており且つ第１実施の形態の戸袋側上レール中間部挟着具１１がないことが、上述した第１実施の形態と異なっている。具体的には、端部載置部２９は、戸袋側上レール５の長手方向略半分の長さを有し且つ戸袋側端部５ｂから長手方向の略中央に亘って戸袋側上レール５を載置している。
この第２実施の形態では、端部載置部２９は戸袋側上レールを１／３以上を載置することにより、戸袋側上レール５を安定に保持できるから上述した実施の形態にある戸袋側上レール中間部挟着具１１を用いないで済み、部品点数が少なくて済む。
【００１３】
本発明は、上述した実施の形態に限らず、本発明の要旨を逸脱しない範囲で種々変形可能である。
例えば、戸袋側上レール端部固定具９は、端部載置部２９と端部挟着部３１とを一体にしたものであってもよい。
出入口側上レール３及び戸袋側上レール５に設けた係止部２４は、凸部でも良いし、引戸の開き方向を下にした傾斜面であってもよい。
第１実施の形態において、戸袋側上レール中間部挟着具１１は複数設けてもよい。
第２実施の形態において、端部挟着具１１の端部載置部２９は、戸袋２０内の見付け方向略全体に亘って設け、出入口側端部５ａを除く戸袋側上レール５の略全長を支持するものであってもよい。
【図面の簡単な説明】
【００１４】
【図１】（ａ）は第１実施の形態にかかる壁面収納型ハンガー引戸の上部において出入口側のカバーと戸袋壁面を除いて示す正面図であり、（ｂ）は（ａ）に示す戸袋側上レール端部固定具を抜き出して示す斜視図である。
【図２】図１（ａ）のＡ―Ａ断面図である。
【図３】戸袋側上レールの取り付け取り外し手順を説明する図である。
【図４】図５のＢ―Ｂ断面図である。
【図５】図１に示す壁面収納型ハンガー引戸を室内側から見た外観図である。
【図６】第２実施の形態にかかる壁面収納型ハンガー引戸の上部において出入口側のカバーと戸袋壁面を除いて示す正面図である。
【符号の説明】
【００１５】
１      壁面収納型ハンガー引戸
３      出入口側上レール
５      戸袋側上レール
５ａ    出入口側端部
７      引戸
９      戸袋側上レール端部固定具
１１    戸袋側上レール中間部挟着具
１３    戸袋側上レール端部固定ねじ
１６    出入口
２０    戸袋
２１    戸先側吊車
２３    戸尻側吊車
２９    端部載置部
３１    端部挟着部
【図１】
2005213731.tif 000003
【図２】
2005213731.tif 000004
【図３】
2005213731.tif 000005
【図４】
2005213731.tif 000006
【図５】
2005213731.tif 000007
【図６】
2005213731.tif 000008